(57)【要約】【課題】  天井面への直接取付、壁面への引き上げ取付、壁面への持ち上げ取付が可能なカーテンレール用ブラケットであって、荷重が大きくても曲げ変形のおそれがないものを提供する。【解決手段】  定着ネジ通し孔が穿設された水平板部と、水平板部に取り付けられるカーテンレール支持部と、水平板部の後端から垂直に下降する垂直板部とを備える本体と、壁面に当接する両側板部と本体垂直板部に重合する垂直板部とを備える壁面用プレートとからなるカーテンレール用ブラケットにおいて、本体垂直板部には、固定ネジ孔を設け、壁面用プレート垂直板部には、固定ネジ孔と連通可能な２つの上下に並ぶネジ通し孔を設ける。【選択図】        図１
2006068049.tif 000002
【特許請求の範囲】
【請求項１】
定着ネジ通し孔が穿設された水平板部と、前記水平板部に取り付けられるカーテンレール支持部と、前記水平板部の後端から垂直に下降する垂直板部とを備える本体と、壁面に当接する両側板部と前記本体垂直板部に重合する垂直板部とを備える壁面用プレートとからなるカーテンレール用ブラケットにおいて、前記本体垂直板部は、固定ネジ孔を備え、前記壁面用プレート垂直板部は、前記固定ネジ孔と連通可能な２つの上下に並ぶネジ通し孔を備えることを特徴としてなるカーテンレール用ブラケット。
【請求項２】
本体は、水平板部を挟む両側板部を備え、前記本体両側板部は、本体垂直板部から後方に突出する後端部を有し、前記後端部は、前記壁面用プレート両側板部と上下摺動自在に嵌合することを特徴としてなる請求項１に記載のカーテンレール用ブラケット。
【請求項３】
壁面用プレートを本体に固定する固定ネジは、本体垂直板部の前面から本体両側板部の後端部前後幅よりも前方に長く突出することを特徴としてなる請求項２に記載のカーテンレール用ブラケット。
【請求項４】
２つの上下に並ぶネジ通し孔は１つの長孔であることを特徴としてなる請求項１又は２に記載のカーテンレール用ブラケット。
【請求項５】
定着ネジ通し孔が穿設された水平板部と、前記水平板部に取り付けられるカーテンレール支持部と、前記水平板部を挟む両側板部とを備える２つの本体を結合してなるカーテンレール用ブラケットにおいて、前記水平板部は、相互に直交し、それぞれの水平板部に対してカーテンレール支持部が同じ回転方向に位置するように、後端部同士が接合することを特徴としてなるカーテンレール用ブラケット。
【発明の詳細な説明】
【技術分野】
【０００１】
本発明は、本体を天井面に取り付けすることも、壁面用プレートを介して本体を壁面に持ち上げ取り付けすることも、引き上げ取り付けすることも可能なカーテンレール用ブラケットに関するものである。
【背景技術】
【０００２】
本体を天井面に取り付けすることも、壁面用プレートを介して壁面に持ち上げ取り付けすることも、引き上げ取り付けすることも可能なカーテンレール用ブラケットは、実用新案登録第３０７９３１４号公報により公知である。このブラケットは、本体とアングル形の壁面用プレートからなり、壁面用プレートの水平板部は、壁面用プレートの垂直板部が本体後端から垂下又は起立するように、本体の水平なアームに脱着自在にネジ止めされるる。垂直板部が本体後端から垂下するとき、ブラケットは、本体の天井面直接取付、又は壁面持ち上げ取付が可能であり、垂直板部が本体後端から起立するとき、ブラケットは、本体の壁面引き上げ取付が可能となる。しかし、この公知ブラケットは、壁面用プレートの水平板部が平板状であるため、荷重が大きいと、曲げ変形してカーテンレールの高さが変わるという問題がある。
【特許文献１】実用新案登録第３０７９３１４号公報
【発明の開示】
【発明が解決しようとする課題】
【０００３】
本発明は、この問題を解決するためになされたものであり、その課題は、本体を天井面に直接取付することも、壁面用プレートを介して壁面に持ち上げ取付することも、引き上げ取付することも可能なカーテンレール用ブラケットであって、壁面に取り付けるとき、荷重が大きくても曲げ変形しないものを提供することである。
【課題を解決するための手段】
【０００４】
前記課題を達成するため、本発明が採用する手段は、定着ネジ通し孔が穿設された水平板部と、水平板部に取り付けられるカーテンレール支持部と、水平板部の後端から垂直に下降する垂直板部とを備える本体と、壁面に当接する両側板部と本体垂直板部に重合する垂直板部とを備える壁面用プレートとからなるカーテンレール用ブラケットにおいて、本体垂直板部には、固定ネジ孔を設け、壁面用プレート垂直板部には、固定ネジ孔と連通可能な２つの上下に並ぶネジ通し孔を設けることを特徴とする。
【発明の効果】
【０００５】
本発明のブラケットは、本体から壁面用プレートを外して本体水平板部の定着ネジ通し孔に定着ネジを通すと、本体の天井面直接取付が可能となる。壁面用プレートの上側のネジ通し孔に固定ネジを通して壁面用プレートを本体から垂下するように本体に固定し、本体の定着ネジ通し孔に定着ネジを通すと、本体の天井面取付が、壁面プレートの下側のネジ通し孔に定着ネジを通すと、本体の壁面持ち上げ取付がそれぞれ可能となる。壁面用プレートの下側のネジ通し孔に固定ネジを通して壁面用プレートを本体から起立するように本体に固定し、壁面プレートの上側のネジ通し孔に定着ネジを通すと、本体の壁面引き上げ取付が可能となる。本体を壁面に取り付けたとき、壁面と当接する壁面用プレートの両側板部が補強となり、壁面用プレートの曲げ変形を規制するから、荷重が大きくても、カーテンレールの高さが変わるおそれはない。
【発明を実施するための最良の形態】
【０００６】
ブラケットの本体に水平板部を挟む両側板部を設け、その両側板部に本体垂直板部から後方に突出する後端部を一体に形成し、その後端部に壁面用プレート両側板部を上下摺動自在に嵌合させることにより、壁面用プレートの２つのネジ通し孔の一方と本体の固定ネジ孔とを連通させる作業を容易にすることが好ましい。このとき、２つの上下に並ぶネジ通し孔を連続して１つの長孔にすると、固定ネジを少し弛めるだけで、壁面用プレートを本体垂直板部に沿って上下摺動させることができる。
【０００７】
壁面用プレートの２つのネジ通し孔は、一方を固定ネジ専用通し孔に、他方を定着ネジ専用通し孔とすることができる。この場合、固定ネジを弛めた状態で、壁面用プレートを本体垂直板部の後面上において固定ネジ孔と連通するネジ通し孔を中心に半回転させることができるように、固定ネジを長目にして本体垂直板部の前面から本体両側板部の後端部前後幅よりも長く前方に突出させることが好ましい。
【０００８】
本発明のブラケットは、定着ネジ通し孔が穿設された水平板部と、水平板部に取り付けられるカーテンレール支持部と、水平板部を挟む両側板部とを備える２つの同様な本体を結合して形成することも可能である。この場合、２つの本体は、水平板部同士が相互に直交し、それぞれの水平板部に対してカーテンレール支持部が同じ回転方向に位置するように、水平板部の後端部同士を接合する。この２つの本体からなるブラケットは、一方の本体の定着ネジ通し孔に定着ネジを通すことにより、本体の天井面直接取付と壁面引き上げ取付が可能となり、他方の本体の定着ネジ通し孔に定着ネジを逆方向に通すことにより、本体の壁面持ち上げ取付が可能となる。
【実施例】
【０００９】
本発明のブラケットを図面に示す実施例１に基づいて説明する。図１及び図２は、実施例１の本体の壁面引き上げ取付を示す側断面図及び底面図、図３及び図４は実施例１の本体の壁面持ち上げ取付及び天井面直接取付をそれぞれ示す側面図である。
【００１０】
図１及び図２に示すように、ブラケット１は、本体２と、本体２とは別体の壁面用プレート３とからなる。本体２の水平板部４には天井面に固定するための定着ねじを通す定着ネジ通し孔５が穿設される。本体２の後端から垂下する垂直板部６には固定ネジ孔７が設けられる。本体２の水平板部４と垂直板部６を両側から挟む両側板部８が設けられ、水平板部４には止めねじ９を介してカーテンレール支持部１０が取り付けられる。
【００１１】
壁面用プレート３は、本体２の垂直板部６の後面に重合する垂直板部１１と壁面１７に当接する両側板部１２を備える。壁面用プレート３の垂直板部１１には固定ネジ孔７と連通可能な２つのネジ通し孔１３、１４が上下に穿設される。本体両側板部８は本体垂直板部６から後方に突出して後端部１９を形成し、その後端部１９は壁面用プレート３の両側板部１２に上下摺動自在に内嵌する。
【００１２】
図１のブラケット１は、壁面用プレート３の上側のネジ通し孔１３に通した定着ネジ１５により壁面１７に定着し、壁面用プレート３の下側のネジ通し孔１４に通した固定ネジ１６により本体２が壁面用プレート３に固定される。このとき、壁面用プレート３が壁面に沿って本体２から起立するから、ブラケット１の本体２は壁面１７に引き上げ取付される。
【００１３】
壁面用プレート３を本体垂直板部６の後面に沿って下方に摺動し、固定ネジ１６を上側のネジ通し孔１３に通して本体の固定ネジ孔７に締め付け、定着ネジ１５を下側のネジ通し孔１４に通して壁面１７に定着すると、図３に示すように、壁面用プレート３が壁面１７に沿って本体２から垂下するから、ブラケット１の本体２は、定着ネジ１５により壁面１７に持ち上げ取付される。
【００１４】
本体２の水平板部４の定着ネジ通し孔５に通した定着ネジ１５を介して本体２を天井面１８に定着すると、図４に示すように、ブラケット１の本体２は、定着ネジ１５により天井面１８に直接取付される。このとき、鎖線で示すように、壁面用プレート３は取り外しても良い。このように、実施例１は、固定ネジ１６を外すと本体の取付方式を変更することができる。
【００１５】
次に、実施例２を図面に基づいて説明する。図５及び図６は、実施例２の側断面図及び後面図、図７は、固定ネジを弛めた状態を示す底面図である。
【００１６】
図５に示すように、実施例２のブラケット１ａは、固定ネジ１６ａを除くと、実施例１と全く同じである。固定ネジ１６ａは、実施例１のものよりも長く、本体２の垂直板部６の前面からその後端部の前後幅より長く前方に突出する。
【００１７】
図７に示すように、固定ネジ１６ａを弛めて壁面用プレート３の側板部１２を本体２の
後端部１９よりも後方にずらせると、図６に矢印で示すように、壁面用プレート３は固定ネジ１６ａを中心に回動可能となる。そこで、壁面用プレート３を本体から起立させて固定ネジ１６ａを締め付け固定すると、本体は引き上げ取付となり、壁面用プレート３を本体から垂下させて固定ネジ１６ａを締め付け固定すると、本体は持ち上げ取付となる。このように、実施例２は、固定ネジ１６ａを弛めて壁面用プレート３を回すことにより、本体の取付方式を変更することができる。
【００１８】
次に、実施例３を図面に基づいて説明する。図８及び図９は、実施例３の側断面図及び後面図である。
【００１９】
図８及び図９に示すように、実施例３のブラケット１ｂは、壁面用プレート３ｂのネジ通し孔１３ｂを除くと、実施例１と全く同じである。ネジ通し孔１３ｂは、上下に延長する長孔であり、壁面の定着ネジ孔と本体の固定ネジ孔の双方に連通する。
【００２０】
固定ネジ１６を少し弛めると、壁面用プレート３ｂは本体の垂直板部に沿って上下に摺動可能となる。そこで、壁面用プレート３ｂを本体から起立させて固定ネジ１６を締め付け固定すると、本体は引き上げ取付となり、壁面用プレート３ｂを本体から垂下させて固定ネジ１６を締め付け固定すると、本体は持ち上げ取付となる。このように、実施例２は、固定ネジ１６を少し弛めて壁面用プレート３ｂを上下摺動することにより、本体の取付方式を変更することができる。
【００２１】
次に、実施例４のブラケットを図面に基づいて説明する。図１０は、実施例４の壁面引き上げ取付を示す側断面図、図１１及び図１２は、実施例４の壁面持ち上げ取付及び天井面取付をそれぞれ示す側面図である。
【００２２】
図１０に示すように、ブラケット１ｃは、定着ネジ通し孔５ｃが穿設された水平板部４ｃと、水平板部４ｃに止めねじ９ｃを介して取り付けられるカーテンレール支持部１０ｃと、水平板部４ｃを挟む両側板部８ｃとを備える２つの本体２ｃが結合したものである。２つの本体２ｃは、水平板部４ｃが相互に直交し、それぞれの水平板部４ｃに対してカーテンレール支持部１０ｃが同じ回転方向に位置するように、水平板部４ｃの後端部同士が接合する。一方の本体２ｃの定着ネジ通し孔５ｃに定着ネジ１５を通して本体２ｃを壁面１７に定着すると、ブラケット１ｃは、他方の本体２ｃを壁面に引き上げ取付する状態となる。
【００２３】
図１１に示すように、他方の本体２ｃの定着ネジ通し孔に定着ネジ１５を逆方向に通して本体２ｃを壁面１７に定着すると、ブラケット１ｃは、一方の本体２ｃを壁面に引き上げ取付する状態となる。図１２に示すように、一方の本体２ｃの定着ネジ通し孔に定着ネジ１５を通して本体２ｃを天井面１８に定着すると、ブラケット１ｃは、一方の本体２ｃを天井面に直接取付する状態となる。
【図面の簡単な説明】
【００２４】
【図１】本発明実施例１のブラケットの壁面引き上げ取付を示す側断面図、
【図２】実施例１の底面図、
【図３】実施例１の壁面持ち上げ取付を示す側面図、
【図４】実施例１の天井面取付を示す側面図、
【図５】実施例２の側断面図、
【図６】実施例２の後面図、
【図７】実施例２の固定ネジを弛めた状態を示す底面図、
【図８】実施例３の側断面図、
【図９】実施例３の後面図、
【図１０】実施例４の壁面持ち上げ取付を示す側面図、
【図１１】実施例４の壁面引き上げ取付を示す側面図、
【図１２】実施例４の天井面取付を示す側面図。
【符号の説明】
【００２５】
１、１ａ、１ｂ、１ｃ：ブラケット
２、２ｃ：本体
３、３ｂ：壁面用プレート
４、４ｃ：水平板部
５、５ｃ：定着ネジ通し孔
６：垂直板部
７：固定ネジ孔
８、８ｃ：側板部
９、９ｃ：止めねじ
１０、１０ｃ：カーテンレール支持部
１１：垂直板部
１２：側板部
１３、１３ｂ：ネジ通し孔
１４：ネジ通し孔
１５：定着ネジ
１６、１６ａ：固定ネジ
１７：壁面
１８：天井面
１９：後端部
【図１】
2006068049.tif 000003
【図２】
2006068049.tif 000004
【図３】
2006068049.tif 000005
【図４】
2006068049.tif 000006
【図５】
2006068049.tif 000007
【図６】
2006068049.tif 000008
【図７】
2006068049.tif 000009
【図８】
2006068049.tif 000010
【図９】
2006068049.tif 000011
【図１０】
2006068049.tif 000012
【図１１】
2006068049.tif 000013
【図１２】
2006068049.tif 000014